(57)【要約】【課題】介助者の助けを必要とせず、所定時間の間、起き上がった姿勢を保持でき、腹部等の圧迫がない介護機器および介護機器に使用するベルトを提供する。【解決手段】台車１０に立設され、上下に昇降して高さ調整自在な支柱２０に固定された略Ｕ字状のハンドル３０の左右に対のフック部３２を設ける。そして、フック部３２にベッド等の上に着座した状態の人の上半身の背面に掛けられて着座姿勢をベルト４０により保持した。【選択図】　図１
2004089227.tif 000002
【特許請求の範囲】
【請求項１】
台車と、
該台車に立設され、一方向に昇降して高さ調整自在な支柱と、
該支柱に固定された略Ｕ字状のハンドルとを備えた介護機器において、
前記ハンドルに対の第１フック部を設け、基台上に着座した着座者の上半身の背面に掛けられ、着座者の姿勢を保持するベルトを、前記第１フック部に係止したことを特徴とする介護機器。
【請求項２】
着座者と対向する前記ハンドルには第２フック部が設けられ、前記ベルトは、背面から肩を介して前方に廻され、前記第２フック部に係止したことを特徴とする請求項１に記載の介護機器。
【請求項３】
前記ベルトは、着座者の背面が当たる部位に姿勢保持板を設けたことを特徴とする請求項１または請求項２に記載の介護機器。
【請求項４】
前記支柱の高さを可変する操作部材と、該操作部材の操作により前記支柱を昇降動作させる昇降装置とを備え、前記操作部材を前記ハンドルよりも前方に配設したことを特徴とする請求項１乃至請求項３のいずれかに記載の介護機器。
【請求項５】
基台上に着座した着座者の上半身の背面に掛けられて着座者の座位を保持する第１保持部と、該第１保持部の両側に設けられた第１係止部とを有し、該第１係止部が移動自在な介護機器に対して脱着自在であることを特徴とする介護機器用ベルト。
【請求項６】
前記第１保持部から延在し、着座者の背面から肩を介して前方に廻される第２保持部と、該第２保持部に設けられた第２係止部とを有し、該第２係止部も前記介護機器に対して脱着自在であることを特徴とする請求項５に記載の介護機器用ベルト。
【請求項７】
前記第１係止部と前記第２係止部の少なくとも一方は、長さ調整が行える複数の位置調整部を有することを特徴とする請求項６に記載の介護機器用ベルト。
【請求項８】
前記第１係止部および前記第２係止部は厚手の布材から成り立っていることを特徴とする請求項６に記載の介護機器用ベルト。
【発明の詳細な説明】
【０００１】
【発明の属する技術分野】
本発明は、長い期間、寝た状態にある人（例えば、高齢者、障害者、病気をわずらった人等）の上半身における弱った筋力を回復させるリハビリ訓練等に用いられる介護機器、及び、その介護機器で使用される介護機器用ベルトに関するものである。
【０００２】
【従来の技術】
従来、長い期間、寝た状態にある人（高齢者や、足腰等に障害のある障害者、病人等に代表される要介護者）を、別の場所に移動させる場合、要介護者の動作を補助して身体にかかる負担を低減させる事を目的として、介護機器が使用されている。介護機器は、一般的に病院や福祉施設等で使用されている。この介護機器には、キャスタ付の台車に支柱が立設され、支柱にハンドルが取り付けられた機器が良く知られている。
【０００３】
例えば、特許第２９２６３１９号公報には、この様な介護機器を利用して、ベッドに寝た状態にある要介護者をベッドから起こして、吊り座具によって別の場所まで移動させる移動支援機器が開示されている。この公報に示される機器は、上下に昇降を行う昇降支柱に取り付けられたハンドルに、複数のフックが設けられている。このフックに障害者等を吊り上げる吊り座具が引っ掛けられ、要介護者を吊り座具の上に座らせて、移動させる構成となっている。
【０００４】
【発明が解決しようとする課題】
しかしながら、上記した公報に示される機器では、フックに掛けられた吊り座具の上に要介護者は腰を下すことになり、ハンドルの上に両腕を載せた状態で、要介護者の動作を助ける介助者はその姿勢を維持しなくてはならならず、その姿勢を保持するには、要介護者および介助者の負担が大きくなってしまう。
【０００５】
近年では、リハビリ訓練を行っている病院等においては、この様な寝たきりの要介護者に対して、長期間、寝た状態により弱ってしまった身体（例えば、腰や背中等）の筋力を復帰させることを目的として、リハビリ訓練が行われている。このリハビリ訓練の中には上半身の筋力を訓練によってある程度（初期段階として、自分で起きた状態を保持できる状態となる）まで、上半身の筋力を復帰させる訓練がある。
【０００６】
この様な訓練を行う場合、介助者は寝たきりの人（要介護者）をベッド等から起き上がらせ、ベッドの端部で座らせた状態を作り、所定時間（数分〜３０分程）の間、介助者は要介護者の後方または横から、倒れない様に要介護者の上半身を支えて姿勢を保持する訓練が行われる。この際、介助者は要介護者を起き上がらせた状態で、所定時間の間、ずっと上半身を支えていなければいけない為、病院等で一人当たりの介助者に対して要介護者が何人もいる場合には、一人の人のみに係り合っていることができず、訓練時間や訓練回数に制約が出てくる。この為、複数の要介護者に対して、十分な筋力訓練を行うことができなくなってしまう。
【０００７】
この訓練に、上記した公報の機器を用いた場合、要介護者を吊り上げた姿勢でその姿勢を、所定時間、保持するには、身体の状態が不安定となってしまい、どうしても介助者はそばに付いていなければならなくなってしまう。また、吊り座具にて吊り上げられた状態では、上半身の一部（特に、腹部）が圧迫されてしまう為、訓練時間が制約されてしまう。
【０００８】
よって、本発明は上記の問題点に鑑みてなされたものであり、介助者の助けを必要とせず、所定時間の間、起き上がった姿勢を保持でき、腹部等の圧迫がない介護機器および介護機器用ベルトを提供することを課題とする。
【０００９】
【課題を解決するための手段】
上記した課題を解決するために講じた技術的手段は、台車と、該台車に立設され、一方向に昇降して高さ調整自在な支柱と、該支柱に固定された略Ｕ字状のハンドルとを備えた介護機器において、前記ハンドルに対の第１フック部を設け、基台上に着座した着座者の上半身の背面に掛けられ、着座者の姿勢を保持するベルトを第１フック部に係止したことである。
【００１０】
上記した手段によれば、ハンドルに対の第１フック部を設け、基台上に着座した着座者の上半身の背面に掛け、着座者の姿勢を保持するベルトを第１フック部に係止したので、ベルトを基台上に着座した着座者の上半身の背面に掛けて、着座者の上半身をベルトを渡した介護機器によって保持することが可能である。このベルトにより、介助者は基台上に着座した着座者を、所定時間の間、ずっとそばにいて、支えていなくても良く、介助者の連続的な助けは必要なくなる。これによって、病院等において、一人の介助者に対して何人もの要介護者がいる場合でも、一人の介護に所定時間ずっと付き添う必要はなくなるので、介護を行う際の効率が良くなる。
【００１１】
この場合、着座者と対向するハンドルには第２フック部が設けられ、ベルトは背面から肩を介して前方に廻され、第２フック部に係止されると、第２フック部に係止されたベルトによって、着座者の腰だけでなく肩も含めて着座者の上半身を確実に保持して、起き上がった状態での姿勢を保持することが可能となる。
【００１２】
また、ベルトは、着座者の背面が当たる部位に姿勢保持板が設けられると、着座者の背面が当たる部位に設けられた姿勢保持板によって、着座者の背面にかかる荷重が局所的に集中することなく、荷重を分散させて着座者を所定状態で確実に保持することが可能となる。これにより、着座者に対して姿勢保持時の傷み等の不快感を与えない構成となる。
【００１３】
更に、支柱の高さを可変する操作部材と、操作部材の操作により支柱を昇降動作させる昇降装置とを備え、操作部材をハンドルよりも前方に配設することによって、介助者や着座者はハンドルよりも前方に配設された操作部材を操作して、着座者の高さに応じて支柱を上下に移動させて容易に調整することが可能となり、訓練の正しい姿勢を保持することが可能となる。
【００１４】
また、上記した課題を解決するために講じた技術的手段は、基台の上に着座した着座者の上半身の背面に掛けられて着座者の座位を保持する第１保持部と、第１保持部の両側に設けられた第１係止部とを有し、第１係止部が移動自在な介護機器に対して脱着自在としたことである。
【００１５】
上記した手段によれば、介護機器に対して、第１係止部によって取り付けられた第１保持部により、介護機器用ベルトによって、着座者の上半身は背面から座位を保持することが可能である。この介護機器用ベルトにより、介助者は基台（例えば、ベッド、椅子、踏み台等）上に着座した着座者をずっと支えていなくても良く、連続的な介助者の助けは必要なくなる。これによって、病院等において、一人の介助者に対して複数の高齢者、障害者、病人等がいる場合でも一人の介護に所定時間ずっと付き添う必要はなくなるので、介護を行う際の効率が良くなる。この介護機器用ベルトを介護機器に脱着自在としたことから、介護機器用ベルトが必要ないときには、簡単に介護機器用ベルトを取り外す事が可能である。介護機器用ベルトが取り外れると、この介護機器は、単に、別の場所に移動する際に移動を支援する移動支援機器となる。
【００１６】
また、第１保持部から延在し、着座者の背面から肩を介して前方に廻される第２保持部と、第２保持部に設けられた第２係止部とを有し、第２係止部も介護機器に対して脱着自在であれば、介護機器に取り付けられる第２係止部によっても、着座者の腰のみならず肩も確実に保持される。つまり、背中および肩の筋力が落ちた人に対しても、有効な筋力訓練が行える。
【００１７】
更に、第１係止部と第２係止部の少なくとも一方は、長さ調整が行える複数の位置調整部を有すれば、複数の位置調整部によって、着座者の体型に応じて第１係止部や第２係止部の長さを調節して、着座者の確実な保持が行える。
【００１８】
更にその上、第１係止部および第２係止部は厚手の布材から成り立っていれば、上半身を支える際に大きな荷重がかかる第１係止部および第２係止部は厚手の布材（例えば、ナイロンテープ等）により、大きな荷重に耐え得るものとなる。
【００１９】
【発明の実施の形態】
以下、本発明の実施形態について、図面を参照して説明する。図１は一実施形態における介護機器１の構成およびその介護機器１を用いてベッド等の上に着座した人または着座させられた人（着座者）の上半身を保持している状態を示す図である。以下に示す介護機器１は、病院等において使用されるものであって、通常、高齢者、障害者、病人等がある場所から別の場所に移動する際、移動を支援する機器への応用を図った。つまり、以下に示す介護機器１は、移動支援の他、長い間、寝たきりの状態が続いた人（例えば、高齢者や、足腰をわずらい自立歩行が困難な障害者、病人等）の弱くなった上半身の筋力を訓練によって鍛え、少なくともある程度（例えば、少なくとも、自力で起き上がった姿勢）をしばらく保持できるまでに上半身の筋力を復帰させる様にした。
【００２０】
この介護機器１は、大別して、キャスタ（車輪）２，３を備えた台車１０と、台車１０に立設する支柱２０と、支柱２０を高さ方向（ｚ方向）に昇降させる昇降装置５０と、昇降自在な支柱２０の上部に取り付けられたハンドル３０とを備える。
【００２１】
台車１０は、後方に開口を有する略Ｕ字状を呈し、後方に人が入って移動が行える様になっている。台車１０は、金属材（例えば、鉄、アルミニウム合金等）から成り立っており、前方（図１に示す左側）の左右両側に、台車１０の進行方向が変わる２つのキャスタ２（図１では１つのみを示す）が、台車１０の裏面側に回動自在に固定されている。また、台車１０の後方（図１に示す右側）の左右にも２つのキャスタ３（図１では１つのみを示す）が、台車１０の裏面側に固定されている。キャスタ２，３は、台車１０を所定位置で停止させるためには、キャスタ２，３の少なくとも一方の回転を規制するストッパ機能を有していることが望ましい。本実施形態において、後方のキャスタ３は一方向でのみ回動を行う様にしているが、これに限定されるものではなく、前方のキャスタ２と同様に、後方のキャスタ３もいずれの方向にも回動を行うようにしても良い。
【００２２】
台車１０には、台車１０の裏面側からボルト等の締結部材によりベース支柱２１が固定され、台車１０に対して高さ方向（ｚ方向）に立設されている。支柱２０は、台車１０と同様、強固な金属材（例えば、鉄、アルミニウム合金等）から成り立っている。支柱２０は、ベース支柱２１と、べース支柱２１に対してｚ方向に昇降自在な昇降支柱２３と、昇降支柱２３の後方に並んで併設して配設される昇降ガイド２４を備えている。昇降支柱２３と昇降ガイド２４のｚ方向における上部には連結部材２５が設けられ、連結部材２５により昇降支柱２３と昇降ガイド２４は一体となって、ベース支柱２１に対して一方向（ｚ方向）に昇降する。
【００２３】
ベース支柱２１の前方には、内部に図示しないモータおよび減速機構を備え、モータの回転によって昇降支柱２３を昇降動作させる昇降装置５０が設けられている。また、昇降装置５０の上面には昇降装置５０を駆動する操作スイッチ（例えば、プッシュ式、トグル式、スライド式と言った上昇スイッチ、下降スイッチを備える）５１が設けられている。よって、操作スイッチ５１を操作すれば、昇降装置５０の内部に設けられたモータを動作させ、ベース支柱２１に対して昇降支柱２３と昇降支柱２３と一体動作する昇降ガイド２４をｚ方向の任意の高さに調整することができる。この昇降ガイド２４の上部には、ｘ方向に延在するハンドル３０がボルト等の締結部材によって取り付けられる。
【００２４】
ハンドル３０は、上方から見ると中央で屈曲した略Ｕ字状を呈し、ハンドル３０の両端にはグリップ３１が設けられている。グリップ３１はハンドル３０の操作性を良くするために、ゴムから成るグリップ３１がハンドル３０の端部からそれぞれ圧入されている。また、グリップ３１の前方下側には、基台（例えば、ベッド、椅子、踏み台等）の上に腰を下ろして、座った状態にある人（ここでは、着座者と言う）を背面から上半身を保持するベルト４０が引っ掛けられるフック部３２が、ハンドル３０に対して溶接等によって左右対で固定され、フック部３２はハンドル３０と一体となっている。また、ハンドル３０には、中央のＵ字状となった部位から数ｃｍ後方には左右両側のｘ方向に延在するハンドル３０を互いに連結する連結部３５が、溶接によりハンドル３０に一体化で固定されている。この連結部３５の下方にもフック部３２と同じ形状を成すフック部３３が、溶接等により連結部３５に２ヶ所固定されている。
【００２５】
次に、図２を参照して、着座者に座った姿勢を保持させる様にする介護機器用ベルト（単に、ベルトと称す）４０について説明する。このベルト４０は、図２に示す形状を呈し、図１の如く、基台となるベッド１１に敷かれるマットレス１２上に、長い間、寝た状態が続いた人（要介護者）の筋力を訓練によって、少なくとも自力で着座状態がある程度保持できる程度まで復帰させる訓練を行う場合に用いられる。つまり、この様なリハビリ訓練を行う場合、介助者はマットレス１２上に寝ている人の上半身を起こしてやり、マットレス１２の端部に座らせた着座状態を作る。そして、この姿勢を所定時間（例えば、数分〜３０分程度）だけ保持させることによって、自力で座る筋力を回復させる場合に、図２に示すベルト４０は使用される。
【００２６】
ベルト４０は、布または厚手の布材から作られ、周囲はナイロン等の丈夫な紐材から作られる。例えば、環状のナイロンから成る平状または丸状の布状テープ（ナイロンテープ）をｙ方向に引っ張って平行線を作る。そして、ｙ方向に平行な２本のナイロンテープを上下方向両側から覆う様に縫われている。中央には、肌ざわりが良く接触抵抗が小さく滑り易いポリエステルから成る長方形状の背当て部４４を設け、ナイロンテープと縫い合わせて形成されている。これにより、背当て部４４のｙ方向における左右両側には、それぞれナイロンの布テープが露出したストラップ部（第１係止部）が形成される。また、このストラップ部４１には、要介護者の体型に合わせてｙ方向の位置調節が行える様、ストラップ部４１と同じ材質（ナイロンテープ等）で、ｚ方向に延在する複数の位置調整部４２，４３がストラップ部４１に一体で縫い合わされている。
【００２７】
ベルト４０の中央の背当て部４４は、ベッド１１のマットレス上に着座する着座者の上半身の背面（例えば、腰から背中の部位）を支える。また、背当て部４４は、着座者の体型に沿って所定以上の荷重が作用すれば変形する材質（例えば、ポリエステル、ポリカーボーネート等の樹脂）から成る姿勢保持板４５が、背当て部４４の内部に設けられており、姿勢保持板４５が背当て部４４から露出しない様、確実に背当て部４４に対して縫われている。この様な形状の姿勢保持ベルト４０は、ｙ方向両側に形成されたストラップ部４１を、ハンドル３０のｚ方向となる左右両側に設けられたそれぞれのフック部３２に係止させることによって、着座者の上半身の背面をベルト４０によって支えた状態で座った姿勢を保持することができる。この場合、ベルト４０は、腰と背中の真中ほどの位置にかけられると良い。
【００２８】
次に、この様な構成の介護機器１により、着座者の姿勢を保持する訓練の動作手順について説明する。
【００２９】
介助者は、まず、ベッド１１のマットレス１２上に寝ている人の上半身を起こし、基台（例えば、ベッドの端部または腰掛け台等）になど着座姿勢がとれる場所に腰掛けさせる。着座者が腰掛けて座っている場所に、少なくともベルト４０のストラップ部４１のいずれか一方を外した状態で介護機器１を運び、介護機器１が着座者の両足の間に支柱２０が来る様に、介護機器１の位置を調整しながらもってくる。この場合、着座者の両足は台車１０の前方に設けられた足置き用のステップに乗せた状態で、ベッド１１の端部近くまで支柱２０を着座者の足の間に入れ込む。つまり、この状態で着座者は、略Ｕ字状のハンドル３０に前方および側方が囲まれるものとなり、ハンドル３０によってガードされる。この場合、ハンドル３０には、着座者の身体（例えば、手、腕、または、脇腹）が当たる部位には、当たって痛くない様にクッション材を設けることが望ましい。そして、この状態で、着座者の後方を支えるため、着座者の左右に設けられた対のフック部３２にベルト４０のストラップ部４１を引っ掛けて、着座者の後方を支えて着座姿勢を保持するようにする。
【００３０】
この場合、着座者の後方を支えるベルト４０は、上半身の背面が当たる中央の背当て部４４及びその両側にストラップ部４１が設けられており、背当て部４４の中には背当て部４４に当接する身体の形状に沿って変形を行う樹脂製（ポリエステル、ポリカーボネート等から成る）の板厚が３〜５ｍｍ程度の姿勢保持板４５が入っている為、この樹脂製の姿勢保持板４５によって上半身の背面にかかる荷重が局所的に集中することなく、姿勢保持板４５およびストラップ部４１により、荷重が効率良く分散されるので、着座者に傷み等の不快感を与えなくできる。
【００３１】
また、ストラップ部４１には着座者の体型に応じてｙ方向の大きさが可変できる位置調整部４２，４３がｙ方向に複数設けられているため、フック部３２に対して位置調整部４２，４２の引っ掛ける位置を変えれば、着座者の体型に応じた任意の大きさに調整することができる。これは、例えば、着座者が太った人であれば、ストラップ部４１の一番端のコーナー部をフック部３２に引っ掛けて係止する。また、着座者が痩せた人であれば、位置調整部４３もしくは位置調整部４２の位置をフック部３２に引っ掛けて係止することによって、着座者の体型に応じた確実な保持が可能となる。
【００３２】
次に、図２に示すベルト４０の変形例を説明する。これは、起き上がる筋力が更に弱い人の場合に、図３に示す形状のベルト４０を使用する。図３に示すベルト４０は、図２に示すベルトの機能に対して、着座者の腰や背中のみならず、肩（肩甲骨等）をも支えて、着座姿勢を保持することができる。つまり、背当て部４４からｚ方向に背当て部４４を延在させて、着座者の背中から肩を保持する上部背当て部４６と上体保持部４７を連続して背当て部４４に縫い合わせる。つまり、これは、上部背当て部４６のｙ方向端部からそれぞれｚ方向に延在する様、長方形状を成す上体保持部４７を上部背当て部４６に対して縫い合わせた構成とする。この場合、背当て部４４、上部背当て部４６および上体保持部４７は、共に同じ材質が用いられる。そして、２つの上体保持部４７の端部にはストラップ部４１と同じ材質から成る凸状のストラップ部４８が設けられる。この２つのストラップ部４８も着座者の体型に応じて位置を調整できる様、２つの位置調整部４９がストラップ部４８に一体で設けられている。このストラップ部４８は、ハンドル３０の連結部３５に一体で設けられる２つの前方のフック部３３に引っ掛けられて、係止される様になっている（図４を参照）。この場合、着座者の前方に配設されるクッション材により、フック部３３からのベルト外れを防止する様にしても良い。
【００３３】
これによって、起き上がった状態を保持できない程、上半身の筋力が弱った人でも体型に合わせて、図３に示す形状のベルト４０のストラップ部４１，４８を４つのフック部３２，３３に引っ掛けることにより、その人の上半身を確実に保持しながら筋力訓練を行う事ができる。
【００３４】
この状態から、更に背筋を伸ばした状態で座位姿勢を保持する為には、着座者の上半身の背筋を伸ばした状態を作り出す必要があることから、昇降装置５０によって昇降支柱２３を昇降させると良い。この介護機器１の支柱２０に取り付けられるハンドル３０の昇降動作は、着座者や介助者が、昇降装置５０の上部に設けらた操作スイッチ５１を操作することにより可能である。例えば、３点スイッチの場合には、操作スイッチ５１の上部を押している間、昇降支柱２３に支持されたハンドル３０は上昇し、操作スイッチ５１の下部を押している間、ハンドル３０は下降し、操作スイッチ５１の操作を止めるとその位置でハンドル３０の昇降が停止される。これによって、支柱２０の高さが変化することでハンドル３０の高さが任意の位置まで変化し、着座者は腕をハンドル上に載せた状態もしくはハンドル３０が脇の下に入って上半身を上方へと持ち上げ、背筋が伸びた正しい着座姿勢を保持することができる。
【００３５】
この場合、筋力訓練中はキャスタ２のブレーキ機能を使うことにより、定位置にて介護機器１が保持され、姿勢保持の訓練を行うことができる。訓練終了後は、ハンドルを下降させ、フック部３２，３３からベルト４０を外し、キャスタ２のブレーキ機能を解除して、介護機器１を邪魔にならない位置まで移動して、所定時間の間、着座状態を介護機器１により保持した状態にあった人を、介助者は寝かせてやれば良い。
【００３６】
【発明の効果】
本発明によれば、ハンドルに対の第１フック部を設け、基台上に着座した着座者の上半身の背面に掛け、着座者の姿勢を保持するベルトを第１フック部に係止したので、ベルトを基台上に着座した着座者の上半身の背面に掛けて、着座者の上半身をベルトを渡した介護機器によって保持することができる。介助者は基台上に着座した着座者をずっと支えていなくても良く、訓練途中の介助者の連続的な助けは必要なくなる。これによって、病院等において、一人の介助者に対して何人もの要介護者がいる場合でも、一人の介護に所定時間ずっと付き添う必要はなくなり、介護を行う際の効率が向上する。
【００３７】
この場合、着座者と対向するハンドルには第２フック部が設けられ、ベルトは背面から肩を介して前方に廻され、第２フック部に係止されると、第２フック部に係止されたベルトによって、着座者の腰だけでなく肩も含めて着座者の上半身を確実に保持して、起き上がった状態での姿勢を保持することができる。
【００３８】
また、ベルトは、着座者の背面が当たる部位に姿勢保持板が設けられると、着座者の背面が当たる部位に設けられた姿勢保持板によって、着座者の背面にかかる荷重が局所的に集中することなく、背中にかかる荷重を分散させて着座者を確実に保持することができるので、着座者に対して姿勢保持時の傷み等の不快感を与えなくすることができる。
【００３９】
更に、支柱の高さを可変する操作部材と、操作部材の操作により支柱を昇降動作させる昇降装置とを備え、操作部材をハンドルよりも前方に配設することによって、着座者の高さに応じて支柱を上下に移動させて容易に調整することができる。
【００４０】
本発明によれば、介護機器に対して、第１係止部によって取り付けられた第１保持部により、介護機器用ベルトによって着座者の上半身は背面から座位を保持することができる。この介護機器用ベルトにより、介助者は基台上に着座した着座者をずっと支えていなくても良く、訓練途中での介助者の連続的な助けは必要なく、病院等において、一人の介助者に対して複数の高齢者、障害者、病人等がいる場合でも一人の介護に所定時間ずっと付き添う必要はなくなるので、介護を行う際の効率を向上させることができる。
【００４１】
また、第１保持部から延在し、着座者の背面から肩を介して前方に廻される第２保持部と、第２保持部に設けられた第２係止部とを有し、第２係止部も介護機器に対して脱着自在であれば、介護機器に取り付けられる第２係止部によっても、着座者の腰のみならず肩も確実に保持でき、背中および肩の筋力が落ちた人に対しても、有効な筋力訓練を行うことができる。
【００４２】
更に、第１係止部と第２係止部の少なくとも一方は、長さ調整が行える複数の位置調整部を有すれば、複数の位置調整部によって、着座者の体型に応じて第１係止部や第２係止部の長さを調節して、着座者を確実に保持できる。
【００４３】
更にその上、第１係止部および第２係止部は厚手の布材から成り立っていれば、第１係止部および第２係止部は引っ張り強度において耐久性を向上させることができる。
【図面の簡単な説明】
【図１】本発明の第１実施形態における介護機器で要介護者の姿勢を保持した場合の状態図である。
【図２】図１に示す介護機器に用いる介護機器用ベルトの外形図である。
【図３】図２と別形状である介護機器用ベルトの外形図である。
【図４】図３に示す介護機器用ベルトを介護機器に取り付けて要介護者の姿勢を保持した場合の状態図である。
【符号の説明】
１　介護機器
１０　台車
２０　支柱
３０　ハンドル
３２　フック部（第１フック部）
３３　フック部（第２フック部）
４０　ベルト（介護機器用ベルト）
４１　ストラップ部（第１係止部）
４２，４３，４９　位置調整部
４４　背当て部（第１保持部）
４７　上体保持部
４５　姿勢保持板
４８　ストラップ部（第２係止部）
５０　昇降装置
５１　操作スイッチ（操作部材）
【図１】
2004089227.tif 000003
【図２】
2004089227.tif 000004
【図３】
2004089227.tif 000005
【図４】
2004089227.tif 000006